(57)【要約】  本発明の表示装置（１００）では、第１ガラス基板（２１０）は湾曲している。信号線駆動素子（２６０）および走査線駆動素子（２７０）を第１ガラス基板（２１０）の主面（２１３）の法線方向からみたときに、信号線駆動素子（２６０）および走査線駆動素子（２７０）は２つの長辺（２６１、２６２、２７１、２７２）と２つの短辺（２６３、２６４、２７３、２７４）とを有する矩形状である。信号線駆動素子（２６０）および走査線駆動素子（２７０）は、長辺（２６１、２６２、２７１、２７２）が互いに平行になるように実装されている。
2008013014.tif 000002
【特許請求の範囲】
【請求項１】
アクティブマトリクス基板と、前記アクティブマトリクス基板の主面に配置された表示媒体層とを備える表示装置であって、
前記アクティブマトリクス基板は、
表示領域と端子領域とを含む主面を有するガラス基板と、
前記ガラス基板の前記表示領域に設けられた複数の回路素子と、
前記複数の回路素子に接続された複数の信号線および複数の走査線と、
前記ガラス基板の前記端子領域に実装され、前記複数の信号線にデータ信号を供給する少なくとも１つの信号線駆動素子と、
前記ガラス基板の前記端子領域に実装され、前記複数の走査線にゲート信号を供給する少なくとも１つの走査線駆動素子と
を有しており、
前記ガラス基板は湾曲しており、
前記少なくとも１つの信号線駆動素子および前記少なくとも１つの走査線駆動素子のそれぞれを前記ガラス基板の主面の法線方向からみたときに、前記少なくとも１つの信号線駆動素子および前記少なくとも１つの走査線駆動素子のそれぞれは２つの長辺と２つの短辺とを有する矩形状であり、前記少なくとも１つの信号線駆動素子および前記少なくとも１つの走査線駆動素子のそれぞれは、それぞれの長辺が互いに平行になるように実装されている、表示装置。
【請求項２】
前記ガラス基板は、前記少なくとも１つの信号線駆動素子の長辺と垂直な方向に湾曲している、請求項１に記載の表示装置。
【請求項３】
前記少なくとも１つの信号線駆動素子の長辺は、前記複数の信号線の延びている方向と平行または垂直である、請求項１または２に記載の表示装置。
【請求項４】
前記ガラス基板の前記主面は凹形状に湾曲している、請求項１から３のいずれかに記載の表示装置。
【請求項５】
前記ガラス基板の前記主面は凸形状に湾曲している、請求項１から３のいずれかに記載の表示装置。
【請求項６】
前記少なくとも１つの信号線駆動素子および前記少なくとも１つの走査線駆動素子のそれぞれは、異方性導電層を介して実装されている、請求項１から５のいずれかに記載の表示装置。
【請求項７】
前記アクティブマトリクス基板は、前記ガラス基板の前記端子領域に設けられた複数の基板配線をさらに含み、
前記少なくとも１つの信号線駆動素子には、入力バンプおよび出力バンプが設けられており、
前記複数の基板配線は、前記少なくとも１つの信号線駆動素子の前記入力バンプと電気的に接続する複数の入力基板配線と、前記複数の信号線および前記少なくとも１つの信号線駆動素子の前記出力バンプと電気的に接続する複数の出力基板配線とを含み、前記少なくとも１つの信号線駆動素子に対応する出力基板配線は入力基板配線よりも表示領域側に設けられている、請求項１から６のいずれかに記載の表示装置。
【請求項８】
前記表示媒体層を介して前記アクティブマトリクス基板と対向する対向基板をさらに備えており、
前記表示媒体層は液晶層である、請求項１から７のいずれかに記載の表示装置。
【請求項９】
テレビジョン放送を受信するための回路をさらに備える、請求項１から８のいずれかに記載の表示装置。
【請求項１０】
請求項１から９のいずれかに記載の表示装置をインストルメントパネルに用いた自動車両。
【発明の詳細な説明】
【技術分野】
【０００１】
本発明は、表示装置に関し、より詳細には、湾曲形状を有する表示装置に関する。
【背景技術】
【０００２】
一般的な表示装置は、ほぼ平面または直方体形状を有している。しかしながら、このような形状の表示装置では、周囲の外光がガラス基板によって反射されて、周囲の景色が表示装置の映像に重なって映り込んで見え、その映像を誤認識させる原因となってしまう。そこで、表示装置を湾曲形状にすることにより、映り込みを抑制することが知られている。湾曲形状の表示装置では、ガラス基板が所定の形状に湾曲されている（例えば、特許文献１参照）。
【特許文献１】特開平１１−３８３９５号公報
【発明の開示】
【発明が解決しようとする課題】
【０００３】
一般に、液晶表示装置等の表示装置に用いられるアクティブマトリクス基板では、ガラス基板の端子領域に複数の半導体チップ（駆動素子）が実装されている。半導体チップは、入力信号に基づいて生成したデータ信号およびゲート信号を生成し、これらの信号を信号線および走査線に供給する。本明細書の以下の説明において、信号線にデータ信号を供給する半導体チップを信号線駆動素子と称し、走査線にゲート信号を供給する半導体チップを走査線駆動素子と称する。【０００４】
本願発明者は、湾曲したガラス基板に信号線駆動素子および走査線駆動素子を単純に実装すると、曲げ応力に起因して負荷がかかり、信号線駆動素子および走査線駆動素子がガラス基板から離間することを見いだした。【０００５】
本発明は、上記課題を鑑みてなされたものであり、その目的は、湾曲形状を有する表示装置において、実装した信号線駆動素子および走査線駆動素子がガラス基板から離間することを抑制することにある。
【課題を解決するための手段】
【０００６】
本発明の表示装置は、アクティブマトリクス基板と、前記アクティブマトリクス基板の主面に配置された表示媒体層とを備える表示装置であって、前記アクティブマトリクス基板は、表示領域と端子領域とを含む主面を有するガラス基板と、前記ガラス基板の前記表示領域に設けられた複数の回路素子と、前記複数の回路素子に接続された複数の信号線および複数の走査線と、前記ガラス基板の前記端子領域に実装され、前記複数の信号線にデータ信号を供給する少なくとも１つの信号線駆動素子と、前記ガラス基板の前記端子領域に実装され、前記複数の走査線にゲート信号を供給する少なくとも１つの走査線駆動素子とを有しており、前記ガラス基板は湾曲しており、前記少なくとも１つの信号線駆動素子および前記少なくとも１つの走査線駆動素子のそれぞれを前記ガラス基板の主面の法線方向からみたときに、前記少なくとも１つの信号線駆動素子および前記少なくとも１つの走査線駆動素子のそれぞれは２つの長辺と２つの短辺とを有する矩形状であり、前記少なくとも１つの信号線駆動素子および前記少なくとも１つの走査線駆動素子のそれぞれは、それぞれの長辺が互いに平行になるように実装されている。【０００７】
ある実施形態において、前記ガラス基板は、前記少なくとも１つの信号線駆動素子の長辺と垂直な方向に湾曲している。【０００８】
ある実施形態において、前記少なくとも１つの信号線駆動素子の長辺は、前記複数の信号線の延びている方向と平行または垂直である。【０００９】
ある実施形態において、前記ガラス基板の前記主面は凹形状に湾曲している。【００１０】
ある実施形態において、前記ガラス基板の前記主面は凸形状に湾曲している。【００１１】
ある実施形態において、前記少なくとも１つの信号線駆動素子および前記少なくとも１つの走査線駆動素子のそれぞれは、異方性導電層を介して実装されている。【００１２】
ある実施形態において、前記アクティブマトリクス基板は、前記ガラス基板の前記端子領域に設けられた複数の基板配線をさらに含み、前記少なくとも１つの信号線駆動素子には、入力バンプおよび出力バンプが設けられており、前記複数の基板配線は、前記少なくとも１つの信号線駆動素子の前記入力バンプと電気的に接続する複数の入力基板配線と、前記複数の信号線および前記少なくとも１つの信号線駆動素子の前記出力バンプと電気的に接続する複数の出力基板配線とを含み、前記少なくとも１つの信号線駆動素子に対応する出力基板配線は入力基板配線よりも表示領域側に設けられている。【００１３】
ある実施形態において、前記表示装置は、前記表示媒体層を介して前記アクティブマトリクス基板と対向する対向基板をさらに備えており、前記表示媒体層は液晶層である。【００１４】
ある実施形態において、前記表示装置は、テレビジョン放送を受信するための回路をさらに備える。【００１５】
本発明の自動車両は、上記に記載の表示装置をインストルメントパネルに用いている。
【発明の効果】
【００１６】
本発明によれば、湾曲形状を有する表示装置において、実装した信号線駆動素子および走査線駆動素子がガラス基板から離間することを抑制することができる。
【図面の簡単な説明】
【００１７】
【図１】（ａ）は本実施形態の表示装置の模式的な断面図であり、（ｂ）は本実施形態の表示装置の模式的な側面図であり、（ｃ）は本実施形態の表示装置の模式的な平面図である。
【図２】比較例の表示装置の模式的な平面図である。
【図３】本実施形態の表示装置における信号線駆動素子の模式的な平面図である。
【図４】本実施形態の表示装置をインストルメントパネルに用いた例を示す図である。
【図５】本実施形態の別の変形例の表示装置の模式的な平面図である。
【図６】本実施形態のさらに別の変形例の表示装置の模式的な平面図である。
【図７】（ａ）は本実施形態のさらに別の表示装置の模式的な側面図であり、（ｂ）は（ａ）に示した表示装置の模式的な平面図である。
【符号の説明】
【００１８】
１００  表示装置
２００  アクティブマトリクス基板
２１０  第１ガラス基板
２１１  表示領域
２１２  端子領域
２１３  主面
２２０  回路素子
２３０  第１配線
２４０  第２配線
２５０  基板配線
２５２  第１入力基板配線
２５４  第１出力基板配線
２５６  第２入力基板配線
２５８  第２出力基板配線
２６０  信号線駆動素子
２６１、２６２  信号線駆動素子の長辺
２６３、２６４  信号線駆動素子の短辺
２７０  走査線駆動素子
２７１、２７２  走査線駆動素子の長辺
２７３、２７４  走査線駆動素子の短辺
２８０  入力基板
２８１  端子
３００  対向基板
３１０  第２ガラス基板
３１１  主面
３５０  表示媒体層
【発明を実施するための最良の形態】
【００１９】
以下、図面を参照して、本発明による表示装置の実施形態を説明する。ここでは、表示装置の一例として、液晶表示装置を説明する。【００２０】
図１（ａ）に示すように、本実施形態の表示装置１００は、アクティブマトリクス基板２００と、対向基板３００と、アクティブマトリクス基板２００と対向基板３００との間に配置された表示媒体層３５０とを備えており、図１（ｂ）に示すように、本実施形態の表示装置１００は湾曲形状を有している。ここでは、表示装置１００は液晶表示装置であり、表示媒体層３５０は液晶層である。この場合、各画素がバックライト（図示せず）から出射された光を変調することにより、画像が表示される。【００２１】
図１（ｃ）に示すように、アクティブマトリクス基板２００は、表示領域２１１と端子領域２１２とを含む主面２１３を有するガラス基板２１０と、ガラス基板２１０の表示領域２１１上に設けられた複数の回路素子２２０と、複数の回路素子２２０に接続された複数の信号線２３０および複数の走査線２４０と、信号線２３０にデータ信号を供給する信号線駆動素子２６０と、走査線２４０にゲート信号を供給する走査線駆動素子２７０とを有している。信号線駆動素子２６０および走査線駆動素子２７０は、例えば、ベアチップである。信号線駆動素子２６０および走査線駆動素子２７０は、ガラス基板２１０の端子領域２１２に実装されている。また、複数の端子２８１を有する入力基板２８０が、ガラス基板２１０の端子領域２１２に貼り付けられている。【００２２】
図１（ａ）は、図１（ｃ）の１Ａ−１Ａ’線に沿った断面に相当している。図１（ａ）に示したように、対向基板３００はガラス基板３１０を有している。ガラス基板２１０の主面２１３の面積はガラス基板３１０の主面３１１よりも大きく、ガラス基板３１０はガラス基板２１０と重なるように配置されている。なお、本明細書の以下の説明において、アクティブマトリクス基板２００のガラス基板２１０を「第１ガラス基板」と称することがあり、対向基板３００のガラス基板３１０を「第２ガラス基板」と称することがある。【００２３】
図１（ｂ）は、図１（ｃ）の１Ｂ−１Ｂ’線に沿った断面に相当している。図１（ｂ）に示した矢印は、表示装置１００の観察者が表示面を見る方向を示しており、第１ガラス基板２１０および第２ガラス基板３１０は、信号線２３０に平行な曲げ軸に対して走査線２４０の延びている方向、すなわち、横方向に湾曲している。図１（ｂ）に示すように、第１ガラス基板２１０の主面２１３は凹形状に湾曲し、第２ガラス基板３１０の主面３１１は凸形状に湾曲しており、第２ガラス基板３１０の主面３１１は、第１ガラス基板２１０の主面２１３と平行になっている。例えば、第１ガラス基板２１０の外形サイズは３８３．８ｍｍ＊１２２ｍｍであり、第２ガラス基板３１０の外形サイズは３７３．８ｍｍ＊１１６．５ｍｍであり、第１、第２ガラス基板２１０、３１０の厚さは０．２５ｍｍである。また、第１、第２ガラス基板２１０、３１０の曲率半径は、例えば、６００Ｒ〜１５００Ｒ（６００ｍｍ〜１５００ｍｍ）であり、ここでは、第１、第２ガラス基板２１０、３１０の曲率半径は１０００Ｒである。【００２４】
表示領域２１１には、信号線２３０および走査線２４０は垂直に交差するように配置されており、図１（ｃ）には、代表的に２本の信号線２３０および２本の走査線２４０を示している。回路素子２２０は、画素電極および薄膜トランジスタを有している。また、信号線駆動素子２６０および走査線駆動素子２７０は、異方性導電層（図示せず）を介してガラス基板２１０に実装されている。異方性導電層は、異方性導電フィルム（ＡＣＦ）や異方性導電ペースト（ＡＣＰ）などを用いて形成される。【００２５】
信号線駆動素子２６０を第１ガラス基板２１０の主面２１３の法線方向からみたときに、信号線駆動素子２６０は２つの長辺２６１、２６２と２つの短辺２６３、２６４とを有する矩形状である。また、走査線駆動素子２７０を第１ガラス基板２１０の主面２１３の法線方向からみたときに、走査線駆動素子２７０は２つの長辺２７１、２７２と２つの短辺２７３、２７４とを有する矩形状である。信号線駆動素子２６０および走査線駆動素子２７０は、長辺２６１、２６２、２７１、２７２が互いに平行になるように第１ガラス基板２１０に実装されている。【００２６】
以下、比較例の表示装置４００と比較しながら本実施形態の表示装置１００の構成を説明する。まず、図２を参照して、比較例の表示装置４００の構成を説明する。【００２７】
比較例の表示装置４００でも、本実施形態の表示装置１００と同様に、第１ガラス基板５１０および第２ガラス基板は湾曲しているが、比較例の表示装置４００は、信号線駆動素子５６０の長辺５６１、５６２が走査線５４０と平行である点で本実施形態の表示装置１００とは異なる。本明細書の以下の説明において、比較例の表示装置４００のように、信号線駆動素子５６０の長辺５６１、５６２が走査線５４０と平行になるように信号線駆動素子５６０を配置することを信号線駆動素子の横置きとも称する。一方、本実施形態の表示装置１００のように、信号線駆動素子２６０の長辺２６１、２６２が走査線２４０と垂直に（すなわち、信号線２３０と平行に）なるように信号線駆動素子２６０を配置することを信号線駆動素子の縦置きとも称する。【００２８】
比較例の表示装置４００では、横方向に湾曲した第１ガラス基板５１０に、信号線駆動素子５６０が横置きされているため、曲げ応力により、信号線駆動素子５６０の長辺５６１、５６２に沿って第１ガラス基板５１０から離間するように負荷がかかる。特に、一列に配列された信号線駆動素子５６０のうちの両端の信号線駆動素子５６０には強い負荷がかかる。信号線駆動素子５６０が第１ガラス基板５１０の主面５１３から離間すると、信号線駆動素子５６０と入力基板配線５５２および出力基板配線５５４との接続が不十分になる。【００２９】
これに対して、本実施形態の表示装置１００では、図１（ｂ）および図１（ｃ）に示すように、横方向に湾曲した第１ガラス基板２１０に対して信号線駆動素子２６０が縦置きされている。この場合、第１ガラス基板２１０が湾曲していても、信号線駆動素子２６０は第１ガラス基板２１０から離間されにくく、信号線駆動素子２６０の電気的接続が確保される。【００３０】
以上のように、本実施形態の表示装置１００では、信号線駆動素子２６０を縦置きしているため、第１ガラス基板２１０が横方向に湾曲していても、信号線駆動素子２６０の電気的接続を確保することができる。また、本実施形態の表示装置１００では、走査線駆動素子２７０の長辺２７１、２７２も、信号線駆動素子２６０の長辺２６１、２６２と平行に配置されているため、信号線駆動素子２６０と同様の理由で走査線駆動素子２７０の電気的接続を確保することができる。【００３１】
以下、表示装置１００における信号線駆動素子２６０の構成を説明する。図３に、第１ガラス基板２１０の主面２１３の法線方向からみた信号線駆動素子２６０を示す。信号線駆動素子２６０は、２つの長辺２６１、２６２と２つの短辺２６３、２６４とを有する矩形状であり、短辺２６３、２６４と長辺２６１、２６２との比は、例えば、ほぼ１：１０である。なお、走査線駆動素子２７０も信号線駆動素子２６０と同様の構成を有しており、第１ガラス基板２１０の主面２１３の法線方向からみたときに、走査線駆動素子２７０は２つの長辺２７１、２７２と２つの短辺２７３、２７４とを有する矩形状であり、短辺２７３、２７４と長辺２７１、２７２との比は信号線駆動素子２６０とほぼ同様である。なお、信号線駆動素子２６０および走査線駆動素子２７０における短辺と長辺との比は、厳密には異なっていてもよい。【００３２】
図３に示した入力バンプ２６６および出力バンプ２６７は、信号線駆動素子２６０のうち第１ガラス基板２１０の主面２１３（図１（ａ）および図１（ｃ）参照）と向かい合う面に設けられており、図３に示した集積回路２６８は信号線駆動素子２６０の内部に搭載されている。なお、図１（ｃ）および図３から理解されるように、入力バンプ２６６は、入力基板側に配置され、第１ガラス基板２１０の入力基板配線２５２と接続しているのに対して、出力バンプ２６７は表示領域側に配置され、第１ガラス基板２１０の出力基板配線２５４と接続している。信号線駆動素子２６０において、出力バンプ２６７の数は入力バンプ２６６の数よりも多い。図３には、信号線駆動素子２６０に設けられた入力バンプ２６６および出力バンプ２６７を模式的に示しているが、例えば、入力バンプ２６６は４２個であり、出力バンプ２６７は４８０個である。また、隣接する出力バンプ２６７の間隔は３６μｍである。【００３３】
再び図１（ｃ）を参照する。複数の基板配線２５０が第１ガラス基板２１０の端子領域２１２に設けられている。基板配線２５０は、入力基板２８０の端子２８１と信号線駆動素子２６０とを電気的に接続する入力基板配線２５２と、信号線２３０と信号線駆動素子２６０とを電気的に接続する出力基板配線２５４と、入力基板２８０の端子２８１と走査線駆動素子２７０とを電気的に接続する入力基板配線２５６と、走査線２４０と走査線駆動素子２７０とを電気的に接続する出力基板配線２５８とを含んでいる。本明細書の以下の説明において、入力基板配線２５２を第１入力基板配線と称し、出力基板配線２５４を第１出力基板配線と称し、入力基板配線２５６を第２入力基板配線と称し、出力基板配線２５８を第２出力基板配線と称する。なお、隣接する基板配線２５０は、互いに電気的に絶縁であるために所定の距離（例えば３１μｍ程度）離れて配置されている。【００３４】
なお、第１入力基板配線２５２および第１出力基板配線２５４は各信号線駆動素子２６０に対して設けられているが、図１（ｃ）では、図面を過度に複雑にすることを防ぐために、一列に配置された信号線駆動素子２６０のうちの両端に設けられた信号線駆動素子２６０に対するもののみを示している。同様に、入力基板２８０の端子２８１は、各信号線駆動素子２６０に対する第１入力基板配線のそれぞれと電気的に接続するように設けられているが、図１（ｃ）では、図面を過度に複雑にすることを防ぐために、左端の信号線駆動素子２６０に対応するもののみを示している。【００３５】
入力信号は、入力基板２８０の端子２８１から、第１ガラス基板２１０の端子領域２１２に設けられた第１入力基板配線２５２および第２入力基板配線２５６をそれぞれ介して信号線駆動素子２６０および走査線駆動素子２７０に入力される。信号線駆動素子２６０および走査線駆動素子２７０のそれぞれには集積回路（図３参照、図１（ｃ）には図示せず）が搭載されており、各集積回路は、入力信号に基づいて所定の処理を行ってデータ信号およびゲート信号を生成し、第１出力基板配線２５４および第２出力基板配線２５８をそれぞれ介して信号線２３０および走査線２４０にデータ信号およびゲート信号を供給する。【００３６】
また、図１（ｃ）に示すように、複数の信号線駆動素子２６０のそれぞれにおいて、第１出力基板配線２５４は第１入力基板配線２５２よりも表示領域側に設けられている。また、図１（ｃ）に、１つの信号線駆動素子２６０によってデータ信号の供給される信号線２３０が設けられた領域Ｒ１を示している。信号線駆動素子２６０は、領域Ｒ１の短辺の中央付近に配置されており、第１入力基板配線２５２および第１出力基板配線２５４が信号線駆動素子２６０に対して線対称に配置されている。第１入力基板配線２５２および第１出力基板配線２５４は信号線駆動素子２６０の長辺２６１、２６２と平行に延びている平行部分を有しており、第１入力基板配線２５２の平行部分は、第１出力基板配線２５４の平行部分よりも入力基板側に、第１ガラス基板２１０の横幅に対して重なるように配列されている。【００３７】
また、本実施形態の表示装置１００は湾曲形状を有していることにより、上述したように映り込みを抑制することができる。また、本実施形態の表示装置１００は、映り込みの抑制以外に、以下に示す利点を有している。【００３８】
表示装置が湾曲形状を有することにより、表示装置の設計の自由度を向上させ、それにより、表示装置の用途範囲をさらに拡大することができる。例えば、表示装置１００は、自動車両に搭載されるインストルメントパネル用の表示装置として好適に用いられる。ここで「自動車両」とは、いわゆる自動車に限定されず、自動推進式の乗物または機械で、旅客や品物の輸送あるいは物の移動のために用いられるものを広く指す。具体的には、自動車のインストルメントパネルには、スピードメータをはじめとする各種の計器類が設けられているが、これらの計器類に代えて、湾曲形状を有する表示装置を用いることができる。近年、曲線的な構造を有する自動車が好まれる傾向があるが、インストルメントパネルとして湾曲した液晶表示装置を用いることにより、ユーザの嗜好に合致した自動車を作製することができる。【００３９】
図４に、本実施形態の表示装置１００を四輪自動車のインストルメントパネルに用いた例を示す。図４では、表示領域２１１の右側に自動車両の速度、シフトレバーのポジション、バッテリー残量、水温、および燃料の残量を表示し、表示領域２１１の左側にカーナビゲーション情報を表示する場合を例示している。カーナビゲーション情報は、走行中の運転者に現在位置や目的地までの道筋を知らせる情報である。【００４０】
また、設計の自由度の向上以外にも、表示装置１００が湾曲形状を有していることにより、観察者から表示面上の中央部および周辺部までの距離の差を抑制することができ、表示の臨場感を高めることができる。【００４１】
また、湾曲したガラス基板は以下に示す公知の方法で作製することができる。例えば、曲面形状を有するアクリル板でガラス基板を挟み、２つのアクリル基板を圧縮するように圧力を付与することにより、湾曲したガラス基板を作製することができる。または、曲面形状を有するアクリル板にガラス基板を留めることにより、湾曲したガラス基板を作製することができる。【００４２】
または、プレス成形により、ガラス基板を湾曲してもよい。具体的には、第２ガラス基板を第１ガラス基板に重ねた後で、高温化で所定の曲率変形を有する凹成形型および凸成形型で加圧することにより、プレス成形する。あるいは、第２ガラス基板を第１ガラス基板に重ねた後で、高温化で自重成形した後にプレス成形してもよい。【００４３】
平面形状の第１ガラス基板２１０に信号線駆動素子２６０および走査線駆動素子２７０を実装した後に第１ガラス基板２１０を湾曲してもよいし、あるいは、第１ガラス基板２１０を湾曲した後に信号線駆動素子２６０および走査線駆動素子２７０を実装してもよい。ただし、信号線駆動素子２６０および走査線駆動素子２７０を実装した後に第１ガラス基板２１０を湾曲したほうが、容易に実装を行うことができる。【００４４】
なお、図１（ｃ）に示した表示装置１００では、走査線駆動素子２７０は、長辺２７２が表示領域２１１と向かい合うように配置されていたが、本発明はこれに限定されない。図５に示すように、走査線駆動素子２７０を信号線駆動素子２６０と同一列に配置してもよい。これにより、第１ガラス基板２１０の横幅、すなわち、アクティブマトリクス基板２００の横幅を小さくすることができる。【００４５】
また、上述した説明では、第１、第２ガラス基板２１０、３１０を横方向に湾曲しており、走査線駆動素子２６０および信号線駆動素子２７０を縦置きにしていたが、本発明はこれに限定されない。図６に示すように、縦方向に湾曲された第１、第２ガラス基板２１０、３１０に対して走査線駆動素子２６０および信号線駆動素子２７０を横置きにしてもよい。このように、走査線２４０に平行な曲げ軸に対して信号線２３０の延びている方向、すなわち、縦方向に湾曲した第１ガラス基板２１０に対して、信号線駆動素子２６０の長辺２６１、２６２および走査線駆動素子２７０の長辺２７１、２７２が走査線２４０の延びている方向と平行に配置されていることにより、信号線駆動素子２６０および走査線駆動素子２７０のいずれも第１ガラス基板２１０から離間されにくく、信号線駆動素子２６０および走査線駆動素子２７０の電気的接続を確保することができる。【００４６】
また、上述した説明では、信号線駆動素子２６０および走査線駆動素子２７０は異方性導電層（図示せず）を介して第１ガラス基板２１０に実装されていたが、本発明はこれに限定されない。信号線駆動素子２６０および走査線駆動素子２７０は半田を介して実装されてもよい。【００４７】
また、図１（ｃ）に示した表示装置１００では、第１ガラス基板２１０に複数の信号線駆動素子２６０および走査線駆動素子２７０が実装されていたが、本発明はこれに限定されない。信号線駆動素子２６０および走査線駆動素子２７０は１つであってもよい。【００４８】
また、上述した説明では、湾曲形状を有する表示装置の用途として、自動車両のインストルメントパネルを例示したが、本発明はこれに限定されない。例えば、湾曲形状を有する表示装置にテレビジョン放送を受信するための回路を設けて、この表示装置を大型テレビジョンに用いてもよい。この場合も、外光の映り込みを抑制するとともに、観察者は凹形状の表示面によって取り囲まれた感じを受けることになり、臨場感の高い映像を視聴することができる。【００４９】
また、上述した説明では、表示面が観察者に対して凹形状に湾曲していたが、本発明はこれに限定されない。図７（ａ）に示すように、表示面が観察者に対して凸形状を有するように横方向に湾曲していてもよい。この表示装置１００では、図７（ａ）に示すように、第１ガラス基板２１０の主面２１３は凸形状に湾曲しており、第２ガラス基板３１０の主面３１１は凹形状に湾曲しており、図７（ｂ）に示すように、信号線駆動素子２６０は縦置きされている。【００５０】
また、上述した説明では、表示装置は液晶表示装置であったが、本発明はこれに限定されない。表示装置は、有機ＥＬ表示装置、プラズマ表示装置、ＳＥＤ表示装置などの任意の表示装置であってもよい。なお、表示装置が有機ＥＬ表示装置である場合、表示装置は対向基板を備える必要はなく、表示媒体層、すなわち、有機ＥＬ層がアクティブマトリクス基板の主面上に配置されていてもよい。
【産業上の利用可能性】
【００５１】
本発明によれば、インストルメントパネルに好適に用いられる表示装置を提供することができる。このインストルメントパネルは、乗用車、オートバイ、バス、トラック、トラクター、飛行機、モーターボート、土木車両、列車などの各種自動車両に好適に用いられる。また、本発明によれば、臨場感の高い映像を表示可能な表示装置を提供することができる。
【図１】
2008013014.tif 000003
【図２】
2008013014.tif 000004
【図３】
2008013014.tif 000005
【図４】
2008013014.tif 000006
【図５】
2008013014.tif 000007
【図６】
2008013014.tif 000008
【図７】
2008013014.tif 000009
【国際調査報告】
2008013014.tif 000010
2008013014.tif 000011
2008013014.tif 000012
2008013014.tif 000013